(57)【要約】  電動機は、筒状形状を呈するステーターと、ステーターを内部に収容するフレームと、ステーターの内側に配置されるローターと、ローターに連結されたシャフトと、シャフトを回転可能に保持するブラケット（７）と、ブラケット（７）を挟んでローターの反対側に設けられた基板と、基板に搭載されてローターの回転位置を検出する位置検出部（３１）と、を備え、ブラケット（７）には、シャフトの延びる方向に沿って見てハニカム形状を呈するリブ（３３）が形成される。
2016151816.tif 000002
【特許請求の範囲】
【請求項１】
筒状形状を呈するステーターと、
前記ステーターを内部に収容するフレームと、
前記ステーターの内側に配置されるローターと、
前記ローターに連結されたシャフトと、
前記シャフトを回転可能に保持するブラケットと、
前記ブラケットを挟んで前記ローターの反対側に設けられた基板と、
前記基板に搭載されて前記ローターの回転位置を検出する位置検出部と、を備え、
前記ブラケットには、前記シャフトの延びる方向に沿って見てハニカム形状を呈するリブが形成されること特徴とする電動機。
【請求項２】
前記リブは、前記基板側に向けて突出するように形成され、
前記位置検出部は、前記シャフトの延びる方向に沿って見て前記リブを避ける位置に配置されることを特徴とする請求項１に記載の電動機。
【請求項３】
前記基板に搭載された電子部品をさらに備え、
前記リブは、前記基板側に向けて突出するように形成され、
前記電子部品は、前記シャフトの延びる方向に沿って見て前記リブを避ける位置に配置されることを特徴とする請求項１に記載の電動機。
【請求項４】
前記ブラケットは、樹脂製であることを特徴とする請求項１〜３のいずれか１つに記載の電動機。
【請求項５】
請求項１〜４のいずれか１つに記載の電動機と、
前記シャフトに連結された羽根と、
前記羽根を内部に収容するボディと、を備えることを特徴とする換気扇。
【発明の詳細な説明】
【技術分野】
【０００１】
本発明は、ステーターとローターとを備える電動機およびその電動機を用いた換気扇に関する。
【背景技術】
【０００２】
従来より、ステーターの内側にローターが配置され、ローターに連結されたシャフトを回転させる電動機が用いられている。特許文献１には、シャフトを回転可能に保持する軸受けと、軸受けを保持するブラケットと、ブラケットを挟んで軸受けの反対側に設けられた基板とを備える電動機が開示されている。このような電動機では、基板に設けられた位置検出部であるホールＩＣ（Ｉｎｔｅｇｒａｔｅｄ  Ｃｉｒｃｕｉｔ）で、ローターの回転位置の検出が行われる。
【先行技術文献】
【特許文献】
【０００３】
【特許文献１】特開２０１２−２５３８４５号公報
【発明の概要】
【発明が解決しようとする課題】
【０００４】
特許文献１に開示されるような電動機では、軸受けに荷重を付与するために、軸受けとブラケットとの間にスプリングが挿入される場合がある。ここで、スプリングは、軸受けとブラケットとを離間させる方向に力を付与する。ブラケットが、スプリングから加えられた力で変形してしまうと、軸受けに対して適正な力を加えることができず、軸受けの寿命が低下したり、円滑な回転動作が阻害されたりする。また、ブラケットには、振動や落下に伴う衝撃によって破壊されない強度が要求される。【０００５】
ブラケットの強度を向上させる手法として、ブラケットの板厚を増すことが挙げられる。しかしながら、ブラケットの板厚を増すことで、ホールＩＣとローターとの距離が大きくなり、位置検出の精度が低下してしまう場合がある。また、ブラケットの板厚を増すことで、ブラケットを樹脂成型した場合に、ヒケに代表される成形不良が発生しやすくなる。また、ブラケットの板厚を増すことで、電動機が大型化してしまう。【０００６】
本発明は、上記に鑑みてなされたものであって、位置検出部とローターとの距離が大きくなることを抑制しつつ、ブラケットの強度の向上、ローターの位置検出精度の向上、および装置の小型化を図ることのできる電動機を得ることを目的とする。
【課題を解決するための手段】
【０００７】
上述した課題を解決し、目的を達成するために、本発明は、筒状形状を呈するステーターと、ステーターを内部に収容するフレームと、ステーターの内側に配置されるローターと、ローターに連結されたシャフトと、シャフトを回転可能に保持するブラケットと、ブラケットを挟んでローターの反対側に設けられた基板と、基板に搭載されてローターの回転位置を検出する位置検出部と、を備え、ブラケットには、シャフトの延びる方向に沿って見てハニカム形状を呈するリブが形成されること特徴とする。
【発明の効果】
【０００８】
本発明にかかる電動機は、位置検出部とローターとの距離が大きくなることを抑制しつつ、ブラケットの強度の向上、ローターの位置検出精度の向上、および装置の小型化を図ることができるという効果を奏する。
【図面の簡単な説明】
【０００９】
【図１】本発明の実施の形態１にかかるＤＣブラシレスモーターの側面図
【図２】実施の形態１におけるブラケットを基板側から見た図
【図３】実施の形態１におけるブラケットの断面図であって、図２に示すＡ−Ａ線に沿って見た矢視断面図
【図４】実施の形態１にかかるＤＣブラシレスモーターにおいて、ホールＩＣおよび電子部品が設けられた部分を拡大した部分拡大断面図
【図５】本発明の実施の形態２にかかる換気扇の断面図
【発明を実施するための形態】
【００１０】
以下に、本発明の実施の形態にかかる電動機および換気扇を図面に基づいて詳細に説明する。なお、この実施の形態によりこの発明が限定されるものではない。
【００１１】
実施の形態１．
図１は、本発明の実施の形態１にかかるＤＣブラシレスモーターの側面図である。図１では、中心軸３０よりも左側を断面図として示している。また、図１では、図面の理解容易化のために、ブラケット７以外のハッチングを省略している。
【００１２】
電動機であるＤＣブラシレスモーター１では、フレーム２とカバー８とで構成される外郭の内部に各要素が納められている。フレーム２は、有底の円筒形状を呈しており、金属製である。フレーム２の内径には、筒状形状を呈するステーター３が圧入して収容されている。ステーター３は、鉄心３ａにコイル３ｂが巻回されて構成される。
【００１３】
ステーター３の内側には、円環形状を呈するローター６ｂが配置される。ローター６ｂには、ステーター３の中心軸３０に沿って延びるシャフト６ａが連結される。シャフト６ａの一端側は、フレーム２の外部に突出する。以下の説明において、フレーム２から外部に突出するシャフト６ａの一端側を前側といい、反対側である他端側を後側という。
【００１４】
シャフト６ａには、ローター６ｂとの連結部分よりも前側に前側軸受け４ａが設けられ、ローター６ｂとの連結部分よりも後側に後側軸受け４ｂが設けられる。各軸受け４ａ，４ｂは、中心軸３０を中心としてシャフト６ａを回転可能に保持する。前側軸受け４ａは、フレーム２に形成されたハウジング２ａに保持される。
【００１５】
後側軸受け４ｂを挟んでローター６ｂの反対側となる位置に、後側軸受け４ｂを保持するブラケット７が設けられる。ブラケット７は、後側軸受け４ｂを介してシャフト６ａを保持する。ブラケット７には、樹脂製のものが用いられる。ブラケット７には、後側軸受け４ｂを保持するブラケットハウジング７ｂが形成されている。ブラケット７と後側軸受け４ｂとの間には、付勢力付与部であるスプリング５が設けられている。スプリング５は、後側軸受け４ｂとブラケット７とを中心軸３０に沿って離間させる方向に力を作用させる。スプリング５によって、後側軸受け４ｂが適切に動作するために必要な力が後側軸受け４ｂに加えられる。
【００１６】
ブラケット７を挟んだローター６ｂの反対側には、基板９が設けられる。ブラケット７には、基板９側に付勢される付勢力が、スプリング５によって付与される。
【００１７】
図２は、実施の形態１におけるブラケット７を基板９側から見た図である。図３は、実施の形態１におけるブラケット７の断面図であって、図２に示すＡ−Ａ線に沿って見た矢視断面図である。ブラケット７は、フレーム２の開放部分を塞ぐように、全体として円板形状を呈している。ブラケット７の外周部分は、ブラケットフランジ７ａであり、図１に示すようにフレーム２のフレームフランジ２ｂとカバー８のカバーフランジ８ａとの間に挟み込まれる。フレーム２とカバー８とブラケット７とは、フレームフランジ２ｂ、カバーフランジ８ａおよびブラケットフランジ７ａ部分に貫通されたねじでねじ止め固定される。
【００１８】
ブラケットフランジ７ａ、フレームフランジ２ｂ、カバーフランジ８ａには、ＤＣブラシレスモーター１を製品にネジ止め固定するための穴が形成される。ＤＣブラシレスモーター１が固定される製品の一例には、換気扇が挙げられる。
【００１９】
ブラケット７には、基板９側に向けて突出するリブ３３が形成される。リブ３３は、中心軸３０に沿って見て六角形形状を並べたハニカム形状で形成される。ハニカム形状に形成されたリブ３３を設けることで、ブラケット７の板状部分の板厚を抑えつつ、強度の向上を図ることができる。これにより、ヒケに代表される成形不良の発生の抑制およびＤＣブラシレスモーター１の小型化を図ることができる。また、強度の向上によって、ブラケット７の割れや変形の発生を抑えて、ＤＣブラシレスモーター１の信頼性の向上を図ることができる。
【００２０】
図１に戻って、基板９には、ローター６ｂの回転位置を検出する位置検出部であるホールＩＣ３１、ローター６ｂを回転させるための駆動回路、電源回路およびマイコンを構成する電子部品３２が取り付けられている。ホールＩＣ３１およびローター６ｂは、基板９のうちブラケット７と対向する面に取り付けられる。
【００２１】
図２に示すように、ホールＩＣ３１および電子部品３２は、中心軸３０に沿って見てリブ３３を避ける位置に配置される。図４は、実施の形態１にかかるＤＣブラシレスモーター１において、ホールＩＣ３１および電子部品３２が設けられた部分を拡大した部分拡大断面図である。ホールＩＣ３１および電子部品３２を、リブ３３を避ける位置に配置することで、ホールＩＣ３１および電子部品３２をリブ３３の間に納めることが可能となる。これにより、基板９とブラケット７との距離を小さくすることができる。また、カバー８内の基板９を収容するための空間の縮小が可能となり、ＤＣブラシレスモーター１の小型化を図ることができる。
【００２２】
また、基板９とブラケット７との距離を小さくすることで、ホールＩＣ３１とローター６ｂとの距離を小さくすることができる。これにより、ホールＩＣ３１によるローター６ｂの位置検出の精度の向上を図ることができる。
【００２３】
また、ブラケット７を樹脂製にすることで絶縁性を有するため、コイル３ｂ、コイル３ｂに立設されたピン３ｃ、および基板９と、フレーム２、カバー８の半径方向への沿面距離を確保することができる。また、中心軸３０に沿った方向へは、コイル３ｂとブラケット７との距離を小さくすること、および基板９とブラケット７との距離を小さくすることが可能となり、ＤＣブラシレスモーター１の小型化を図ることが可能となる。
【００２４】
基板９には、外部から商用交流電源が投入され、電子部品３２である電源回路にて交流電源が直流電圧に変換され、それぞれの素子に応じた電圧で電源の供給が行われる。電子部品３２である駆動回路は、ピン３ｃを通して、ステーター３に設けられたコイル３ｂに対して所定方向に電流が流れるよう交流電圧を発生させる。コイル３ｂに流れる電流によって、ローター６ｂおよびシャフト６ａが回転する。
【００２５】
電子部品３２であるマイコンは、ホールＩＣ３１の信号を元に、モーターの誘起電圧位相を検出し、誘起電圧位相と駆動回路から発生するモーター相電流位相が同位相になるように制御を行う。誘起電圧位相とモーター相電流位相が同位相となるように制御することで、ＤＣブラシレスモーター１の効率の向上を図ることができる。
【００２６】
実施の形態２．
図５は、本発明の実施の形態２にかかる換気扇の断面図である。図５では、図面の理解の容易化のために一部のハッチングを省略している。換気扇１１は、上記実施の形態１で説明したＤＣブラシレスモーター１がボディ１２に取り付けられて構成される。ＤＣブラシレスモーター１のシャフト６ａの先端には、羽根１３が固定されている。
【００２７】
換気扇１１は、天井板１４にボディ１２を設置し、グリル１５をボディ１２に取り付ける構造となっている。ＤＣブラシレスモーター１のシャフト６ａが回転し、羽根１３も回転することで、図５の矢印Ｄで示す空気の流れが発生する。
【００２８】
図１で示したように、ＤＣブラシレスモーター１は基板９が設けられる回路部と、ローター６ｂおよびステーター３が設けられるモーター部とがブラケット７で仕切られている。したがって、モーター部は空気の流れにさらされるが、回路部は空気の流れから遮断された空間になっており高湿度空間になりにくい。
【００２９】
ＤＣブラシレスモーター１を備える換気扇１１は、高湿度雰囲気の換気に使用可能である。高湿度雰囲気には、浴室が一例に挙げられる。また、ＤＣブラシレスモーター１の小型化によって、換気扇１１の小型化を図ることができる。これにより、スペースの限られた天井裏に設置しやすい換気扇１１とすることができる。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  ＤＣブラシレスモーター（電動機）、２  フレーム、２ａ  ハウジング、２ｂ  フレームフランジ、３  ステーター、３ａ  鉄心、３ｂ  コイル、３ｃ  ピン、４ａ  前側軸受け、４ｂ  後側軸受け、５  スプリング、６ａ  シャフト、６ｂ  ローター、７  ブラケット、７ａ  ブラケットフランジ、７ｂ  ブラケットハウジング、８  カバー、８ａ  カバーフランジ、９  基板、１１  換気扇、１２  ボディ、１３  羽根、１４  天井板、３０  中心軸、３１  ホールＩＣ（位置検出部）、３２  電子部品、３３  リブ。
【図１】
2016151816.tif 000003
【図２】
2016151816.tif 000004
【図３】
2016151816.tif 000005
【図４】
2016151816.tif 000006
【図５】
2016151816.tif 000007
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
筒状形状を呈するステーターと、
前記ステーターを内部に収容するフレームと、
前記ステーターの内側に配置されるローターと、
前記ローターに連結されたシャフトと、
中心軸を中心として前記シャフトを回転可能に保持するブラケットと、
前記ブラケットを挟んで前記ローターの反対側に設けられた基板と、
前記基板に搭載されて前記ローターの回転位置を検出する位置検出部と、
前記基板に搭載された電子部品と、
を備え、
前記ブラケットには、前記シャフトの延びる方向に沿って見てハニカム形状を呈するリブが形成され、
前記リブは、前記基板側に向けて突出するように形成され、
前記電子部品は、前記中心軸に沿って見た場合に前記リブを避けた位置に配置され、前記電子部品の一部が前記リブの間に納まること特徴とする電動機。
【請求項２】
前記位置検出部は、前記シャフトの延びる方向に沿って見て前記リブを避ける位置に配置されることを特徴とする請求項１に記載の電動機。
【請求項３】
前記ブラケットは、樹脂製であることを特徴とする請求項１または２に記載の電動機。
【請求項４】
請求項１〜３のいずれか１つに記載の電動機と、
前記シャフトに連結された羽根と、
前記羽根を内部に収容するボディと、を備えることを特徴とする換気扇。
【国際調査報告】
2016151816.tif 000008
2016151816.tif 000009
2016151816.tif 000010
2016151816.tif 000011